(57)【特許請求の範囲】
【請求項１】
マイク信号を入力するマイク信号入力端子と、
該マイク信号入力端子から入力されたマイク信号のエコー信号を生成するエコー信号生成回路と、
前記マイク信号にエコーが付与されていない直接音信号と前記エコー信号とを合成する合成回路と、
マイクレベルの調整操作をするマイクレベル調整操作子と、
エコーレベルの調整操作をするエコーレベル調整操作子と、
前記マイクレベル調整操作子が調整操作された時は、この操作に応じて前記直接音信号のレベル調整値を増加または減少させるとともに前記エコー信号のレベル調整値を同じく増加または減少させ、かつ、前記エコーレベル調整操作子が調整操作された時は、この操作に応じて前記エコー信号のレベル調整値を増加または減少させるとともに前記直接音信号のレベル調整値を逆に減少または増加させるようにこれら直接音信号とエコー信号のレベル調整値をそれぞれ調整するレベル調整回路と
を具備してなるマイクレベル調整装置。
【請求項２】
前記レベル調整回路が、前記マイクレベル調整操作子が調整操作された時は、前記直接音信号のレベル調整値と前記エコー信号のレベル調整値の比率を該操作前の値にほぼ保った状態でこれら直接音信号とエコー信号のレベル調整値をそれぞれ調整し、かつ、前記エコーレベル調整操作子が調整操作された時は、前記直接音信号のレベル調整値と前記エコー信号のレベル調整値の和を該操作前の値にほぼ保った状態でこれら直接音信号とエコー信号のレベル調整値をそれぞれ調整するものである請求項１記載のマイクレベル調整装置。
【請求項３】
前記レベル調整回路が、前記直接音信号と前記エコー信号のレベル調整値を任意のレベル比で可変に調整する電子制御式ボリウムと、前記マイクレベル調整操作子および前記エコーレベル調整操作子の操作値をそれぞれ検出する操作値検出部と、これら操作値検出部の検出情報に基づいて、前記電子制御式ボリウムを調整制御する制御回路とを具備してなり、
前記制御回路が、前記マイクレベル調整操作子が調整操作された時は、前記直接音信号のレベル調整値と前記エコー信号のレベル調整値の比率を該操作前の値にほぼ保った状態でこれら直接音信号とエコー信号のレベル調整値をそれぞれ調整し、かつ、前記エコーレベル調整操作子が調整操作された時は、前記直接音信号のレベル調整値と前記エコー信号のレベル調整値の和を該操作前の値にほぼ保った状態でこれら直接音信号とエコー信号のレベル調整値をそれぞれ調整するものである請求項１記載のマイクレベル調整装置。
【請求項４】
前記制御回路が、前記エコーレベル調整操作子が調整操作された時に、該操作直前の前記マイクレベル調整操作子および前記エコーレベル調整操作子の操作値をそれぞれ記憶し、これら操作値から前記直接音信号のレベル調整値と前記エコー信号のレベル調整値の和を求め、前記エコー信号のレベル調整値を前記エコーレベル調整操作子の調整操作後の操作値に応じた値に変更し、前記直接音信号のレベル調整値を前記エコー信号のレベル調整値との和が前記求められた値にほぼ等しくなる値に変更するものである請求項３記載のマイクレベル調整装置。
【請求項５】
前記電子制御式ボリウムが、前記エコー信号生成回路に分岐する前の直接音信号の信号ラインに配置された第１の電子制御式ボリウムと、前記エコー信号生成回路に分岐した後の該エコー信号生成回路の入力側に配置された第２の電子制御式ボリウムとからなり、
前記制御回路が、前記マイクレベル調整操作子が操作された時は、前記第２の電子制御式ボリウムのレベル調整値を固定して、前記第１の電子制御式ボリウムを該当する方向に調整し、かつ、前記エコーレベル調整操作子が操作された時は、前記第２の電子制御式ボリウムを該当する方向に調整し、前記第１のボリウムを前記第２の電子式ボリウムのほぼ半分の調整量で逆方向に調整するものである請求項３または４記載のマイクレベル調整装置。
【請求項６】
請求項１から５のいずれかに記載のマイクレベル調整装置と、
前記合成回路の出力信号と別途入力される音楽信号とを合成する第２の合成回路と、
この第２の合成回路の出力信号のレベルの調整操作をするメインレベル調整操作子と、
このメインレベル調整操作子の調整操作に応じて前記第２の合成回路の出力信号のレベル調整値を増加または減少させる出力レベル調整回路と、
この出力レベル調整回路から出力される合成信号を増幅するアンプと、
この増幅された合成信号を再生するスピーカと
を具備してなるカラオケ装置。
【発明の詳細な説明】
【０００１】
【発明の属する技術分野】
この発明は、マイクレベルの調整装置およびこれを用いたカラオケ装置に関し、エコーレベルの増減によるマイク全出力のレベル変動を防止したものである。
【０００２】
【従来の技術】
従来のカラオケ装置の信号系統を図２に示す。マイク１０から出力されるマイク信号はマイク信号入力端子１２から入力され、ヘッドアンプ１４を介してボリウム（アッテネータ）１６でレベル調整される。レベル調整されたマイク信号はエコー信号生成用信号経路１８と直接音用信号経路２０に分岐される。エコー信号生成用信号経路１８に分岐したマイク信号は、ボリウム（アッテネータ）２２でさらにレベル調整された後、ディレイ回路２４に入力されて、エコー信号が生成される。合成回路２６は、エコーが付与されていないマイク信号（直接音信号）とエコー信号を加算合成する。
【０００３】
合成回路２６から出力される全マイク信号は、合成回路２８で音楽信号（伴奏音信号）と加算合成され、ボリウム（アッテネータ）３０でレベル調整された後、アンプ３２で増幅されて、スピーカ３４から再生される。
【０００４】
マイクレベル調整操作子３６はマイクレベルの調整操作をするものである。ここでは、マイクレベル調整操作子３６はボリウム１６を可変操作するものとして用いられており、同操作子３６を操作することにより、エコー信号生成用信号経路１８と直接音用信号経路２０に分岐する前のマイク信号のレベルが可変調整され、その結果直接音信号のレベルとエコー信号のレベルが一定の比率を保持して任意の値に増減される。
【０００５】
エコーレベル調整操作子３８はエコーレベルの調整操作をするものである。ここでは、エコーレベル調整操作子３８はボリウム２２を可変操作するものとして用いられており、同操作子３８を操作することにより、エコー信号生成用経路１８に分岐したマイク信号のレベルが可変調整され、その結果エコー信号のレベルが直接音信号のレベルとは独立に任意の値に増減される。メインレベル調整操作子４０は音楽信号とマイク信号を合わせた全出力レベルの調整操作をするものである。ここでは、メインレベル調整操作子４０はボリウム３０を可変操作するものとして用いられており、同操作子４０を操作することにより、全出力信号（音楽信号と全マイク信号の加算信号）のレベルが任意の値に増減される。
【０００６】
【発明が解決しようとする課題】
前記図２の信号系統によれば、エコーレベル調整操作子３８を操作してエコーレベルを変更すると、合成回路２６から出力される全マイク信号のレベルが変動して、音楽信号のレベルとのバランスが崩れてしまう。このため、元のバランスに戻すためには、マイクレベル調整操作子３６によってマイクレベルを調整しなおさなければならず、操作が面倒であった。
【０００７】
この発明は、前記従来の技術における問題点を解決して、エコーレベルの増減による全マイク信号のレベルの変動を防止したマイクレベル調整装置およびカラオケ装置を提供しようとするものである。
【０００８】
【課題を解決するための手段】
この発明のマイクレベル調整装置は、マイク信号を入力するマイク信号入力端子と、該マイク信号入力端子から入力されたマイク信号のエコー信号を生成するエコー信号生成回路と、前記マイク信号にエコーが付与されていない直接音信号と前記エコー信号とを合成する合成回路と、マイクレベルの調整操作をするマイクレベル調整操作子と、エコーレベルの調整操作をするエコーレベル調整操作子と、前記マイクレベル調整操作子が調整操作された時は、この操作に応じて前記直接音信号のレベル調整値を増加または減少させるとともに前記エコー信号のレベル調整値を同じく増加または減少させ、かつ、前記エコーレベル調整操作子が調整操作された時は、この操作に応じて前記エコー信号のレベル調整値を増加または減少させるとともに前記直接音信号のレベル調整値を逆に減少または増加させるようにこれら直接音信号とエコー信号のレベル調整値をそれぞれ調整するレベル調整回路とを具備してなるものである。
【０００９】
これによれば、エコーレベル調整操作子を操作してエコー信号のレベルを変更すると、直接音信号のレベルが逆方向に自動的に変更されるので、全マイク信号のレベルの変動が抑制される。特に、エコーレベル調整操作子が調整操作された時に、直接音信号のレベル調整値とエコー信号のレベル調整値の和が該操作前の値にほぼ保たれるようにエコー信号のレベル調整値に応じて直接音信号のレベル調整値を調整することにより、全マイク信号のレベル変動がほぼ完全に防止される。
【００１０】
直接音信号あるいはエコー信号のレベル調整を行うボリウムは、機械式ボリウム、電子制御式ボリウム（電圧制御型ボリウム、ディジタルボウリム等）のいずれも用いることができる。電子制御式ボリウムで構成する場合は、レベル調整回路は、例えば直接音信号とエコー信号のレベル調整値を任意のレベル比で可変に調整する電子制御式ボリウムと、マイクレベル調整操作子およびエコーレベル調整操作子の操作値をそれぞれ検出する操作値検出部と、これら操作値検出部の検出情報に基づいて、電子制御式ボリウムを調整制御する制御回路とで構成することができる。この場合、制御回路は、例えばマイクレベル調整操作子が調整操作された時は、直接音信号のレベル調整値とエコー信号のレベル調整値の比率を該操作前の値にほぼ保った状態でこれら直接音信号とエコー信号のレベル調整値をそれぞれ調整し、かつ、エコーレベル調整操作子が調整操作された時は、直接音信号のレベル調整値とエコー信号のレベル調整値の和を該操作前の値にほぼ保った状態でこれら直接音信号とエコー信号のレベル調整値をそれぞれ調整するものとして構成することができる。
【００１１】
また、制御回路は、より具体的には、エコーレベル調整操作子が調整操作された時に、該操作直前のマイクレベル調整操作子およびエコーレベル調整操作子の操作値をそれぞれ記憶し、これら操作値から直接音信号のレベル調整値とエコー信号のレベル調整値の和を求め、エコー信号のレベル調整値をエコーレベル調整操作子の調整操作後の操作値に応じた値に変更し、直接音信号のレベル調整値をエコー信号のレベル調整値との和が前記求められた値にほぼ等しくなる値に変更するものとして構成することができる。
【００１２】
また、電子制御式ボリウムは、例えばエコー信号生成回路に分岐する前の直接音信号の信号ラインに配置された第１の電子制御式ボリウムと、エコー信号生成回路に分岐した後の該エコー信号生成回路の入力側に配置された第２の電子制御式ボリウムとで構成することができ、このとき制御回路は、マイクレベル調整操作子が操作された時は、第２の電子制御式ボリウムのレベル調整値を固定して、第１の電子制御式ボリウムを該当する方向に調整し、かつ、エコーレベル調整操作子が操作された時は、第２の電子制御式ボリウムを該当する方向に調整し、第１のボリウムを前記第２の電子制御式ボリウムのほぼ半分の調整量で逆方向に調整するものとして構成することができる。
【００１３】
また、この発明のカラオケ装置は、この発明のマイクレベル調整装置と、前記合成回路の出力信号と別途入力される音楽信号とを合成する第２の合成回路と、この第２の合成回路の出力信号のレベルの調整操作をするメインレベル調整操作子と、このメインレベル調整操作子の調整操作に応じて前記第２の合成回路の出力信号のレベル調整値を増加または減少させる出力レベル調整回路と、この出力レベル調整回路から出力される合成信号を増幅するアンプと、この増幅された合成信号を再生するスピーカとを具備してなるものである。このカラオケ装置によれば、エコーレベルを変更した際に全マイク信号と音楽信号とのバランスが崩れるのが抑制され、マイクレベル調整操作子の再調整操作を不要にすることができる。
【００１４】
【発明の実施の形態】
（実施の形態１）
直接音信号およびエコー信号のレベル調整を電子制御式ボリウムで行うようにしたこの発明の実施の形態を説明する。図１はその信号系統を示したものである。マイク信号入力端子１２から合成回路２６までの部分がマイクレベル調整装置４２を構成し、全体がカラオケ装置４４を構成する。また、点線で囲んだ部分はレベル調整回路４６を構成する。
【００１５】
マイク１０から出力されるマイク信号はマイク信号入力端子１２から入力され、ヘッドアンプ１４を介してボリウム（アッテネータ）１６でレベル調整される。レベル調整されたマイク信号はエコー信号生成用信号経路１８と直接音用信号経路２０に分岐される。エコー信号生成用信号経路１８に分岐したマイク信号は、ボリウム（アッテネータ）２２でさらにレベル調整された後、ディレイ回路２４（アナログディレイ回路またはディジタルディレイ回路）に入力されて、エコー信号が生成される。合成回路２６は、エコーが付与されていないマイク信号（直接音信号）とエコー信号を加算合成する。
【００１６】
合成回路２６から出力される全マイク信号は、合成回路２８で音楽信号（伴奏音信号）と加算合成され、ボリウム（アッテネータ）３０でレベル調整された後、アンプ３２で増幅されて、スピーカ３４から再生される。
【００１７】
ボリウム１６，２２，３０は電圧制御型ボリウムやディジタルボリウム等の電子制御式ボリウムで構成される。ディジタルボリウムで構成する場合は、マイク信号および音楽信号はＡ／Ｄ変換して入力され、ボリウム３０の後段でＤ／Ａ変換される。マイクレベル調整操作子３６はマイクレベルの調整操作をするもので、その操作値は操作値検出部４８で検出される。エコーレベル調整操作子３８はマイクレベルの調整操作をするもので、その操作値は操作値検出部５０で検出される。メインレベル調整操作子４０は全出力信号（音楽信号と全マイク信号の加算信号）の調整操作をするもので、その操作値は操作値検出部５２で検出される。
【００１８】
各レベル調整操作子３６，３８，４０は、該レベル調整操作子３６，３８，４０による被操作体が可変抵抗器で構成される場合はその可動部分（回転式の場合は回転軸、直動式の場合は可動体）に連結された回転式または直動式操作つまみとして構成し、被操作体がロータリエンコーダで構成される場合はその回転軸に連結された回転式操作つまみとして構成し、被操作体がアップ／ダウンキースイッチで構成される場合はその操作用押ボタンとして構成することができる。また、各操作値検出部４８，５０，５２は、レベル調整操作子３６，３８，４０による被操作体がロータリエンコーダやアップ／ダウンキースイッチの場合はマイコン５４内のカウンタ等で構成し、レベル調整操作子３６，３８，４０の被操作体が可変抵抗器などのアナログ方式の場合はマイコン５４内などのＡ／Ｄ変換器で構成することができる。
【００１９】
マイコン５４（制御回路）は操作値検出部４８，５０，５２の検出情報に基づいてボリウム１６，２２，３０のゲインを調整制御する。すなわち、マイクレベル調整操作子３６が操作された時は、ボリウム１６をその操作値に応じたゲイン（レベル調整値）に調整制御する（ボリウム２２，３０は固定）。これにより、直接音信号のレベル調整値とエコー信号のレベル調整値の比率を該操作前の値に保った状態でこれら直接音信号とエコー信号のレベルが調整される。また、エコーレベル調整操作子３８が操作された時は、ボリウム２２をその操作値に応じたゲイン（レベル調整値）に調整制御するとともに、ボリウム１６，２２のレベル調整値の和が該操作前の状態に保たれるように、ボリウム１６のゲインを逆方向に調整制御する（ボリウム３０は固定）。また、メインレベル調整操作子４０が操作された時は、ボリウム３０をその操作値に応じたゲイン（レベル調整値）に調整制御する（ボリウム１６，２２は固定）。
【００２０】
エコーレベル調整操作子３８が操作された時のマイコン５４によるボリウム１６，２２の調整制御のフローチャートを図３に示す。マイコン５４は、操作値検出部４８，５０で検出されるマイクレベル調整操作子３６およびエコーレベル調整操作子３８の最新の操作値の情報を内部のＲＡＭに記憶している（Ｓ１）。また、この記憶された最新の操作値の情報に基づき、ボリウム１６，２２のレベル調整値の和を計算して内部のＲＡＭに記憶している（Ｓ２）。エコーレベル調整操作子３８が操作されてその操作値が変更されたことを検出すると（Ｓ３）、ボリウム２２のレベル調整値を該当する値に変更した場合にボリウム１６，２２のレベル調整値の和を変更前の値に保つためのボリウム１６のレベル調整値の増減量を算出する（Ｓ４）。そして、ボリウム２２のレベル調整値をエコーレベル調整操作子３８で指示された値に変更するとともに、ボリウム１６のレベル調整値を算出された増減量分変更する。
【００２１】
図３の制御フローによるボリウム２２のレベル調整値とボリウム１６のレベル調整値増減量の関係を図４に示す。図４によれば、ボリウム２２を調整すると、その変動量の半分のレベル調整量でボリウム１６が逆方向に調整される。例えば、エコーレベル調整操作子３８がレベル増加方向に操作されてボリウム２２のレベル調整量が＋６ｄＢ増加したとすると、ボリウム１６のレベル調整量が−３ｄＢ減少する。これにより、エコー信号のレベルは合計で（＋６ｄＢ）＋（−３ｄＢ）増加し、直接音信号は逆に−３ｄＢ減少し、全マイク信号の増減量は（＋３ｄＢ）＋（−３ｄＢ）＝０ｄＢとなる。その結果、全マイク信号のレベルを変動させることなくエコー信号のレベルを＋３ｄＢ増加させることができる。つまり、直接音に対し、エコー信号のレベルは＋６ｄＢ増加させることができる。
【００２２】
（実施の形態２）
前記実施の形態１ではマイクを１本としたが、複数本接続できるようにする場合は、例えば図５のように構成する。これは、２本のマイク１０−１，１０−２のマイク信号のレベルを共通のマイクレベル調整操作子１６で調整するようにしたものである。マイク１０−１，１０−２から出力されるマイク信号はマイク信号入力端子１２−１，１２−２から入力され、ヘッドアンプ１４−１，１４−２および抵抗５６−１，５６−２を介して加算点５８で加算合成される。加算合成されたマイク信号はボリウム１６，２２でレベル調整される。マイコン５４によるボリウム１６，２２のレベル調整制御は前記実施の形態１（図１）における制御（図３，図４）と同じである。
【００２３】
（実施の形態３）
図６の実施の形態は、３本のマイク１０−１，１０−２，１０−３を接続して、マイクレベルを個別のボリウム１６−１，１６−２，１６−３で独立に調整できるようにしたものである。マイク１０−１，１０−２，１０−３から出力されるマイク信号はマイク信号入力端子１２−１，１２−２，１２−３から入力され、ヘッドアンプ１４−１，１４−２，１４−３を介してボリウム１６−１，１６−２，１６−３でレベル調整される。このレベル調整された各マイク信号は合成回路６０で加算合成される。マイクレベル調整操作子３６−１，３６−２，３６−３は各マイク１０−１，１０−２，１０−３に対応して個別に設けられており、これらマイクレベル調整操作子３６−１，３６−２，３６−３の操作に応じてボリウム１６−１，１６−２，１６−３は個別に調整される。
【００２４】
エコーレベル調整操作子３８を操作すると、ボリウム２２が対応するレベル調整値に調整されるとともに、ボリウム１６−１，１６−２，１６−３が逆方向に調整されて、全マイク信号のレベル変動が防止される。すなわち、マイクが１本接続されている場合は前記実施の形態１，２（図１，図５）と同様にボリウム２２のレベル調整値変動量の半分の変動量で該当する１個のボリウム１６のレベル調整量が逆方向に変動される（例えば、ボリウム２２が＋６ｄＢ変動すれば該当する１個のボリウム１６は−３ｄＢ変動する。）。また、マイク１０が２本接続されている場合は、１本のときと同じ変動量で該当する２個のボリウム１６のレベル調整量が逆方向にそれぞれ変動される（例えば、ボリウム２２が＋６ｄＢ変動すれば、該当する２個のボリウム１６はそれぞれ−３ｄＢ変動する。）。また、マイク１０が３本接続されている場合は、１本のときと同じ変動量で３個のボリウム１６のレベル調整量が逆方向にそれぞれ変動される（例えば、ボリウム２２が＋６ｄＢ変動すれば、３個のボリウム１６はそれぞれ−３ｄＢ変動する。）。なお、実際には、ボリウム１６−１，１６−２，１６−３のレベル調整値の変動制御は、マイクが接続されている系統を検出してその系統についてだけ行うようにする必要はなく、マイクがどの系統に接続されているかにかかわらず、ボリウム１６−１，１６−２，１６−３を一律に同じ量だけ変動させるようにすればよい（マイクが接続されていない系統についてボリウムのレベル調整値を変動させてもさせなくてもその系統の音量は０のままであるから、全体の再生音量に影響は及ぼさない。）。
【００２５】
（実施の形態４）
前記各実施の形態ではボリウム１６，２２を縦列に配置したが、図７に示すように並列に配置することもできる。すなわち、エコー信号生成用信号経路１８にはボリウム２２が配置され、直接音用信号経路２０にはボリウム１６が配置されている。ボリウム２２はエコーレベル調整操作子３８の操作に応じて調整され、ボリウム１６はマイクレベル調整操作子３６の操作に応じて調整される。ボリウム１６による直接音信号のレベル調整とボリウム２２によるエコー信号のレベル調整は相互干渉しないので、エコーレベル調整時は、図８に示すように、ボリウム２２のレベル調整値変動量と同じ分だけボリウム１６のレベル調整量を変動させる。
【００２６】
（実施の形態５）
直接音信号およびエコー信号のレベル調整を機械式ボリウムで行うようにしたこの発明の実施の形態を説明する。これによれば、操作子３６，３８，４０の操作値検出部および制御回路を不要にしている。図９はその信号系統を示したものである。マイク１０から出力されるマイク信号はマイク信号入力端子１２から入力され、ヘッドアンプ１４を介してボリウム（アッテネータ）６２でレベル調整される。レベル調整されたマイク信号はエコー信号生成用信号経路１８と直接音用信号経路２０に分岐される。エコー信号生成用信号経路１８に分岐したマイク信号は、ボリウム（アッテネータ）６４でさらにレベル調整された後、ディレイ回路２４に入力されて、エコー信号が生成される。直接音用信号経路２０に分岐されたマイク信号（直接音信号）はボリウム６６（アッテネータ）でさらにレベル調整される。合成回路２６はレベル調整されたエコー信号と直接音信号を加算合成する。
【００２７】
合成回路２６から出力される全マイク信号は、合成回路２８で音楽信号（伴奏音信号）と加算合成され、ボリウム（アッテネータ）６８でレベル調整された後、アンプ３２で増幅されて、スピーカ３４から再生される。
【００２８】
ボリウム６２，６４，６８はロータリー式あるいはリニア式可変抵抗器等の機械式ボリウムで構成されている。マイクレベル調整操作子３６はマイクレベルの調整操作をするもので、ボリウム１６の可動部に直結されてボリウム６２を可変操作する。同操作子３６を操作することにより、エコー信号生成用信号経路１８と直接音用信号経路２０に分岐する前のマイク信号のレベルが可変調整され、その結果直接音信号のレベルとエコー信号のレベルが一定の比率を保持して任意の値に増減される。尚、ボリウム６２は合成回路２６，２８の間に配置することもできる。
【００２９】
エコーレベル調整操作子３８はエコーレベルの調整操作をするもので、相互に連動するボリウム６４，６６の可動部に直結されてボリウム６４，６６を可変操作する。エコーレベル調整操作子３８の操作量とボリウム６４，６６のレベル調整値との関係を図１０に示す。図１０によれば、ボリウム６４，６６のレベル調整値の増減関係は互いに逆になり、これらレベル調整値の和は常に０ｄＢとなっている。したがって、全マイク信号のレベルを変動させることなくエコー信号のレベルを調整することができる。
【００３０】
メインレベル調整操作子４０は音楽信号とマイク信号を合わせた全出力レベルの調整操作をするもので、ボリウム６８の可動部に直結されてボリウム６８を可変操作する。同操作子４０を操作することにより、全出力信号（音楽信号と全マイク信号の加算信号）のレベルが任意の値に増減される。
【００３１】
尚、この発明のマイクレベル調整装置は、カラオケ装置以外の用途にも用いることができる。
【図面の簡単な説明】
【図１】  この発明の実施の形態１を示す信号系統図である。
【図２】  従来装置を示す信号系統図である。
【図３】  図１のマイコンによるエコーレベル調整制御を示すフローチャートである。
【図４】  図３の制御フローによるボリウム２２のレベル調整値とボリウム１６のレベル調整値増減量の関係を示す特性図である。
【図５】  この発明の実施の形態２を示す信号系統図である。
【図６】  この発明の実施の形態３を示す信号系統図である。
【図７】  この発明の実施の形態４を示す信号系統図である。
【図８】  図７の構成におけるボリウム２２のレベル調整値とボリウム１６のレベル調整値増減量の関係を示す特性図である。
【図９】  この発明の実施の形態５を示す信号系統図である。
【図１０】  図９の構成におけるエコーレベル調整操作子３８の操作量とボリウム６４，６６のレベル調整値の関係を示す特性図である。
【符号の説明】
１０  マイク
１６  第１の電子制御式ボリウム
１８  エコー信号生成用信号経路
２０  直接音用信号経路
２２  第２の電子制御式ボリウム
２４  ディレイ回路（エコー信号生成回路）
２６  合成回路
２８  第２の合成回路
３０  電子制御式ボリウム（出力レベル調整回路）
３２  アンプ
３４  スピーカ
３６  マイクレベル調整操作子
３８  エコーレベル調整操作子
４０  メインレベル調整操作子
４２  マイクレベル調整装置
４４  カラオケ装置
４６  レベル調整回路
４８，５０  操作値検出部
５４  マイコン（制御回路）
６２，６４，６６  機械式ボリウム
６８  機械式ボリウム（出力レベル調整回路）
【図１】
0004038850.tif 000002
【図２】
0004038850.tif 000003
【図３】
0004038850.tif 000004
【図４】
0004038850.tif 000005
【図８】
0004038850.tif 000006
【図５】
0004038850.tif 000007
【図６】
0004038850.tif 000008
【図７】
0004038850.tif 000009
【図９】
0004038850.tif 000010
【図１０】
0004038850.tif 000011